(57)【要約】【課題】液体化粧料容器としてもエアレスポンプ付き容器としても好適な美麗な複合容器にする。【解決手段】頚部２を立設した肩部４の外周縁から下端開放の外胴部５を垂設し、肩部４の下面に外胴部５の上部内周面に沿うガイド壁６を垂設し、外胴部５とガイド壁６との間の肩部４の下面に環状凹部７を刻設して成る外装体１と、筒状のフィルムから成る内胴部１１の下端部内周面に皿状の底部材１２を一体に結合すると共に環状凹部７に嵌入する環状凸部１７を突設した口部材１５を内胴部１１の上端部外周面に一体に結合して成る内容器１０とを有し、外装体１内に内容器１０を嵌挿して環状凹部７と環状凸部１７を溶着して構成した。【選択図】      図１
2004217267.tif 000002
【特許請求の範囲】
【請求項１】
頚部を立設した肩部の外周縁から下端開放の外胴部を垂設し、前記肩部の下面に前記外胴部の上部内周面に沿うガイド壁を垂設し、前記外胴部と前記ガイド壁との間の前記肩部の下面に環状凹部を刻設して成る外装体と、筒状のフィルムから成る内胴部の下端部内周面に皿状の底部材を一体に結合すると共に前記環状凹部に嵌入する環状凸部を突設した口部材を前記内胴部の上端部外周面に一体に結合して成る内容器とを有し、前記外装体内に前記内容器を嵌挿して前記環状凹部と前記環状凸部を溶着して成ることを特徴とする液体用複合容器。
【発明の詳細な説明】
【０００１】
【産業上の利用分野】
本発明は、液体化粧料容器として、又エアレスポンプ付き容器として好適な美観に優れた液体用複合容器に関する。
【０００２】
【従来の技術】
従来より、液体用の複合容器として、例えば実開平６−８０６６８号公報に開示されているように、軽量化、美観を達成する為に、薄肉のプラスチックボトルを外箱に挿入した複合容器がよく知られている。
【０００３】
このタイプの液体用複合容器は、内容器となるプラスチックボトルを薄肉に形成してプラスチック材料の使用量を低減化しているが、薄肉のプラスチックボトルは剛性が不足して自立性なく、更に加飾性が悪いことから、薄肉ボトルに紙製や合成樹脂製の外装体を組み付けて自立性のある液体収納用の複合容器としたものである。
【０００４】
【発明が解決しようとする課題】
従来の外装体を用いた液体用複合容器は、外装体に印刷等の加飾を施すことが可能にして自立性があるものの、外装体と外装体に挿入したボトルの頚部との一体感に欠けるうえに質感が低く、また、外装体のデザインが箱形に限定されるので美麗な液体化粧料容器として採用することが難しかった。
【０００５】
また、上記の液体用複合容器には、エアレスポンプを組み付けて内容液の吐出量に応じて内容器を収縮させ減容させていく技術思想がないので、エアレスポンプ付き容器として好適に使用することができなかった。
【０００６】
本発明は、上記の問題に鑑みてなされたもので、液体化粧料の収納やエアレスポンプ付き容器として好適な軽量にして美麗な複合容器を提供することにある。
【０００７】
【課題を解決するための手段】
本発明は、頚部を立設した肩部の外周縁から下端開放の外胴部を垂設し、前記肩部の下面に前記外胴部の上部内周面に沿うガイド壁を垂設し、前記外胴部と前記ガイド壁との間の前記肩部の下面に環状凹部を刻設して成る外装体と、筒状のフィルムから成る内胴部の下端部内周面に皿状の底部材を一体に結合すると共に前記環状凹部に嵌入する環状凸部を突設した口部材を前記内胴部の上端部外周面に一体に結合して成る内容器とを有し、前記外装体内に前記内容器を嵌挿して前記環状凹部と前記環状凸部を溶着した。
【０００８】
上記の構成としたことにより、軽量化された質感の高い液体収納用の複合ボトルとすることができると共に、内容器を負圧により容易に収縮するフレキシブル容器に形成し、エアレスポンプを取り付けてエアレスポンプ付き容器として使用することができるようにした。
【０００９】
【発明の実施の形態】
以下、本発明の液体用複合容器の好適な実施の形態を図面を参照しながら詳細に説明する。
【００１０】
図１乃至図３は、本発明の実施の形態を示しており、無底のボトル形状をした外装体１と、この外装体１内に挿入して外装体１と一体化される有底筒状の内容器１０とから構成されている。
【００１１】
外装体１は、図２（ａ）に示すように、外周面に雄ネジ３を螺設した頚部２と、該頚部２を立設した肩部４と、該肩部４の外周縁から垂設された下端開放の外胴部５と、該外胴部５の上部内周面に沿って肩部４の下面に垂設されたガイド壁６とを有して構成されている。尚、頚部２に取り付けられる蓋やポンプとの嵌合手段はネジ嵌合に限られず、アンダーカット等の嵌合手段としてもよい。
【００１２】
また、外胴部５とガイド壁６との間に位置する肩部４の下面には、環状凹部７が刻設されており、該環状凹部７内には、図２（ｂ）に示すように、超音波リブ８が突設されている。
【００１３】
上記の外装体１は、ＳＡＮ、ＰＥＴ、ＰＳ、ＰＭＭＡ、ＡＢＳ、ＰＰ、ＰＥ等、剛性のある熱可塑性樹脂を用いて射出成形方法で成形される。従って、肉厚の均一な自立性のある外装体１が得られる。また、外装体１の外周面には、ホットスタンプや印刷、転写などの加飾技術を用いて文字や模様の加飾が施される。
【００１４】
内容器１０は、図３に示すように、筒状のフィルムから成る内胴部１１と、この内胴部１１の下端内周に一体に結合され底板１３の外周縁に低い周壁１４を立設した皿形状の底部材１２と、内胴部１１の上端外周に一体に結合されフランジ部１６の上面に環状凸部１７が突設されたリング状の口部材１５とを有して構成されている。
【００１５】
内胴部１１は、矩形に裁断したラミネートフィルムを丸めてその側端部どうしを接合形成したフィルムによる筒状体であり、このラミネートフィルムの中間層にはバリア性の高い合成樹脂フイルムが選択され、外層には底部材１２と口部材１５とに溶着性の良い合成樹脂フィルムが選択されている。ラミネートフィルを構成するフィルム材としては、ポリエチレンフィルム、ポリエステルフィルム、ポリプロピレンフィルムが好適であり、金属蒸着やシリカ蒸着を施したフィルムを中間層に使用してバリア性を高くしてもよい。ラミネートフィルムはこれらのフィルムをラミネート加工して得られる。
【００１６】
また、複合容器を、図４に示すように、エアレスポンプ２１を取り付ける容器として使用する場合は、内胴部１１にフレキシブル性の高いフィルム材を選択することが好ましい。また、図５に示す、外装体１の雄ネジ３に螺合するネジキャップ２１を取り付けた通常の液体収納用のボトルとして使用する場合は、内胴部１１に硬質のフィルムを選択することが好ましい。
【００１７】
また、内胴部１１の外表面に印刷や転写により文字や図柄、色彩による加飾を施すと共に外装体１を透明性の合成樹脂を使用して成形し、透明性の外装体１を透して内容器１０を視ることにより、美観や質感を高めることが可能である。
【００１８】
口部材１５と底部材１２の内胴部１１への一体化結合は、熱溶着方法かインサート成形方法によることが好ましい。即ち、熱溶着方法では、口部材１５と底部材１２とを個別に成形し、底部材１２を内胴部１１の下端部内周面に溶着し、口部材１５を内胴部１１の上端部外周に溶着することにより一体に結合する。また、インサート成形方法では、口部材１５と底部材１２を成形する金型内に内胴部１１をインサートし、射出成形方法で口部材１５と底部材１２を成形すると同時に一体に結合する。
【００１９】
外装体１と内容器１０を一体に組み付けるには、外装体１の下端開口５ａから内容器１０を挿入すると共に超音波治具を外胴部５と内胴部１１の隙間２３に挿入し、外装体１の環状凹部７に内容器１０の口部材１５の環状凸部１７を嵌合し、超音波治具の先端を口部材１５のフランジ部１６に当接して超音波溶着方法で溶着する。
【００２０】
この組み付け作業は、外装体１に挿入される内容器１０が筒形状を維持しているので超音波治具の挿入が容易であり、フランジ部１６で溶着するので振動電搬のロスが少なく、環状凹部７に環状凸部１７を嵌合して溶着するので溶融樹脂が隘路に充満して嵌合部全周に亘り確実に溶着し、液密なボトルとすることができる。
【００２１】
本実施の形態の複合容器は、外装体１が下面開放のままでも内容器１０の変形を防止すると共に液体の充填可能な自立性を有し、液体化粧容器としての美麗な外観を付与できるが、図４に示すように、必要に応じて底カバー２２を取り付けておくとよい。
【００２２】
また、エアレスポンプ付き容器として使用する場合は、内容器１０の内胴部１１にフレキシブル性の高いラミネートフィルムを使用するので、エアレスポンプ２０の作動により収納液を吐出すると、内容器１０内の負圧により内胴部１１が吐出量に応じて極めて容易に収縮する。
【００２３】
従って、エアレスポンプ２０の操作が円滑に行われ、内胴部１１がフレキシブルに収縮して収納液を無駄なく排出することができる。
【００２４】
【発明の効果】
以上、説明したような形態で実施される本発明は、以下に記載されるような効果を奏する。
【００２５】
頚部を立設した肩部の外周縁から外胴部を垂設した外装体に、筒状のフィルムの内胴部を有する内容器を液密に溶着して構成したので、自立性のある軽量化された質感の高い複合ボトルとなり、美麗な液体化粧料容器として利用することができる。
【００２６】
また、内容器の内胴部にフレキシブル性の高いフィルムを使用することにより、負圧により内胴部を容易に収縮させることができるので、エアレスポンプ付き容器として好適に利用することができる。
【図面の簡単な説明】
【図１】本発明の液体用複合容器の好適な実施の形態を示す正面半断面図。
【図２】図１の容器における外装体を示す、（ａ）は正面半断面図、（ｂ）は要部の拡大断面図。
【図３】図１の容器における内容器を示す正面半断面図。
【図４】図１の容器の使用例を示す正面半断面図。
【図５】図１の容器に使用されるネジキャップを示す断面図。
【符号の説明】
１  外装体，２  頚部，４  肩部，５  外胴部，６  ガイド壁，７  環状凹部，１０  内容器，１１  内胴部，１２  底部材，１５  口部材，１７  環状凸部
【図１】
2004217267.tif 000003
【図２】
2004217267.tif 000004
【図３】
2004217267.tif 000005
【図４】
2004217267.tif 000006
【図５】
2004217267.tif 000007